(57)【特許請求の範囲】
【請求項１】
有機ＥＬ素子の発光輝度に対応する表示データを受けてこの表示データに応じたパルス幅のＰＷＭパルスを生成してこのＰＷＭパルスに応じた期間、駆動電流を出力して前記有機ＥＬ素子を駆動する電流駆動回路を有する有機ＥＬ駆動回路において、
前記駆動電流にピーク電流を発生させるピーク電流発生回路を前記電流駆動回路に有し、
前記電流駆動回路は、前記有機ＥＬ素子が接続された各出力ピンに対応してそれぞれ設けられ、
前記ピーク電流発生回路は、前記表示データの値が所定値か、それ以下の低い輝度を示すデータ値であるときに前記表示データに対応する前記駆動電流の電流値をＩとしてこの電流値Ｉを受けて電流値（１＋ｎ）・Ｉ（ただし、ｎは２以上の数）の前記ピーク電流を前記表示データに対応して発生し、前記表示データの値が所定値を越えたときには前記電流値Ｉの駆動電流を発生する有機ＥＬ駆動回路。
【請求項２】
前記ピーク電流は、前記表示データ値が前記所定値以下であるときに前記有機ＥＬ素子を初期充電しあるいは初期発光させるものである請求項１記載の有機ＥＬ駆動回路。
【請求項３】
さらに、前記表示データを発光時間データに変換する手段を有し、前記電流駆動回路は出力段電流源を有し、前記ＰＷＭパルスは、前記発光時間データに応じたパルス幅で生成され、前記出力段電流源が前記ＰＷＭパルスにより駆動され、前記所定値は、表示画面上で輝度差が明確でなくなる低輝度の表示データ値に対応している請求項２記載の有機ＥＬ駆動回路。
【請求項４】
各前記電流駆動回路は、それぞれに対応する前記発光時間データを受けて前記ＰＷＭパルスを発生する前記ＰＷＭパルス発生回路を有する請求項３記載の有機ＥＬ駆動回路。
【請求項５】
各前記電流駆動回路は、前記発光時間データと前記所定値に対応する発光時間データとを比較する第１のデジタルコンパレータを有し、
前記所定値は、前記低輝度の表示データ値に対応する発光時間データであり、前記ピーク電流生成回路は、前記第１のデジタルコンパレータの出力に応じて前記ピーク電流を生成する請求項４記載の有機ＥＬ駆動回路。
【請求項６】
さらに、クロック発生回路を有し、
前記ＰＷＭパルス発生回路は、前記クロック発生回路からのクロックをカウントするカウンタを有し、このカウンタのカウント値と前記発光時間データとを比較する第２のデジタルコンパレータとを有し、第２のデジタルコンパレータの比較結果に応じて前記ＰＷＭパルスを発生する請求項５記載の有機ＥＬ駆動回路。
【請求項７】
各前記電流駆動回路は、前記発光時間データを記憶するレジスタを有し、各前記電流駆動回路の前記レジスタは直列に接続されてシフトレジスタを構成し、前記表示データを発光時間データに変換する手段はメモリで構成され、各前記電流駆動回路に共通に設けられている請求項６記載の有機ＥＬ駆動回路。
【請求項８】
各前記電流駆動回路は、さらに、前記第１のデジタルコンパレータの出力を受けるワンショット回路を有し、前記出力段電流源は、前記ＰＷＭパルスに応じてＯＮとなって前記駆動電流を出力する出力段トランジスタとこれに並列に設けられたピーク電流を発生するためのトランジスタとを有し、このピーク電流を発生するためのトランジスタが前記ワンショット回路の出力により一定期間の間ＯＮにされる請求項７記載の有機ＥＬ駆動回路。
【請求項９】
請求項１〜８記載の有機ＥＬ駆動回路を有する有機ＥＬ表示装置。
【発明の詳細な説明】
【技術分野】
【０００１】
この発明は、有機ＥＬ駆動回路および有機ＥＬ表示装置に関し、詳しくは、パッシブマトリックス型の有機ＥＬ素子を輝度に応じた時間幅で駆動するＰＷＭによる時分割的な階調制御をする場合において、低電圧駆動でかつ消費電力を抑え、低輝度における輝度補正をすることが容易な有機ＥＬ駆動回路および有機ＥＬ表示装置の改良に関する。
【背景技術】
【０００２】
有機ＥＬ表示装置は、自発光による高輝度表示が可能であることから、小画面での表示に適し、携帯電話機、ＤＶＤプレーヤ、ＰＤＡ（携帯端末装置）等に搭載される次世代表示装置として現在注目されている。有機ＥＬ素子（以下ＯＥＬ素子）では、輝度ばらつきの問題を解決するために液晶表示装置の場合のような電圧駆動ではなく、電流駆動が行われる。
携帯電話機用の有機ＥＬ表示装置の有機ＥＬ表示パネルでは、カラムラインの数が３９６個（１３２×３）の端子ピン、ローラインが１６２個の端子ピンを持つものが提案され、カラムライン、ローラインのピンはこれ以上に増加する傾向にある。【０００３】
有機ＥＬ素子は、容量性の負荷特性を持つので、パッシブマトリックス型の有機ＥＬ素子を電流駆動するときには、ピーク電流が生成されてＯＥＬ素子が初期充電される。そのためにピーク電流を電流出力段で発生するものが公知である（特許文献１）。この種の電流駆動回路でのＯＥＬ素子の発光輝度の制御、言い換えれば、その階調制御は、駆動電流値を制御することで行われる。
一方、アクディブマトリックス型の有機ＥＬ駆動回路では、ピクセル回路のコンデンサに駆動電流値を電圧値として記憶することから、各種の方式が行われている。その１つに時分割階調制御方式がある。これは、階調制御のビット数が、例えば、６ビットの場合には、それに対応して１フレームについて駆動時間の異なる６個のサブフレームに分けて、それぞれの階調に応じて１フレームにおいて６個のサブフレームを組み合わせた所定の期間、時分割でＯＥＬ素子を一定電圧で駆動する階調制御をしている。いわゆる、駆動電流値の制御ではなく、駆動時間で発光輝度を制御している。
ところで、マトリックス状に配置したＯＥＬ素子を電流駆動し、かつ、ＯＥＬ素子の陽極と陰極をグランドに落としてリセットするＯＥＬ素子の駆動回路が特許文献２として公知である。また、ＤＣ−ＤＣコンバータを用いてＯＥＬ素子を低消費電力で電流駆動する技術が特許文献３として公知である。【０００４】
【特許文献１】特開平１１−４５０７１号
【特許文献２】特開平９−２３２０７４号公報
【特許文献３】特開２００１−１４３８６７号公報
【発明の開示】
【発明が解決しようとする課題】
【０００５】
パッシブマトリックス型のＯＥＬ素子において、その階調制御を駆動電流値で行うと、最大輝度を発光させる量分の電流値を確保しなければならないので、電圧・電流とも高い値にならざるを得ない。その分、消費電力の増加を抑えることが難しくなる。
そこで、消費電力を抑えるために、アクディブマトリックス型の時分割階調制御方式をパッシブマトリックス型のＯＥＬ素子の駆動に適用してＰＷＭにより階調制御を行うことが考えられる。しかし、このＰＷＭによる階調制御において４ビット程度の階調制御を行う場合には低階調部分の輝度があまり問題ならないが、前記した６ビットか、それ以上の階調制御を行おうとすると、低階調部分で階調差がなくなり、表示映像がつぶれしまう問題が生じる。これを回避するためには、駆動電流値を増加させることが必要である。
その結果、ＰＷＭによる階調制御において６ビットか、それ以上の階調制御を行う場合には電流値だけによる階調制御の場合よりも１フレーム表示当たりトータル電流値を小さくできたとしても、低階調部分での階調輝度の差の問題で必然的に２５Ｖ程度か、それ以上の高い電源電圧が必要になり、結果的に消費電力の低減効果が十分には得られない。
この発明の目的は、このような従来技術の問題点を解決するものであって、パッシブマトリックス型のＯＥＬ素子を階調制御する場合において、低電圧駆動でかつ消費電力を抑え、低輝度における輝度補正をすることが容易な有機ＥＬ駆動回路または有機ＥＬ表示装置を提供することにある。
【課題を解決するための手段】
【０００６】
このような目的を達成するためのこの発明の有機ＥＬ駆動回路または有機ＥＬ表示装置の特徴は、有機ＥＬ素子の発光輝度に対応する表示データを受けてこの表示データに応じたパルス幅のＰＷＭパルスを生成してこのＰＷＭパルスに応じた期間、駆動電流を出力して有機ＥＬ素子を駆動する電流駆動回路を有する有機ＥＬ駆動回路において、
前記駆動電流にピーク電流を発生させるピーク電流発生回路を電流駆動回路に有し、前記電流駆動回路が、有機ＥＬ素子が接続された各出力ピンに対応してそれぞれ設けられ、前記ピーク電流発生回路が、表示データの値が所定値か、それ以下の低い輝度を示すデータ値であるときに表示データに対応する駆動電流の電流値をＩとしてこの電流値Ｉを受けて電流値（１＋ｎ）・Ｉ（ただし、ｎは２以上の数）のピーク電流を表示データに対応して発生し、表示データの値が所定値を越えたときには電流値Ｉの駆動電流を発生するものである。
【発明の効果】
【０００７】
この発明は、ＰＷＭパルスのパルス幅でＯＥＬ素子の発光輝度を制御するものであって、低階調部分での階調輝度の差が明確でない領域においては、階調補正用のピーク電流発生回路を設けているので低階調部分での階調輝度の差を大きくすることができる。
これにより、所定値以下の低い輝度でＯＥＬ素子を駆動する場合にＰＷＭパルスによる電流駆動に加えてピーク電流を発生させてＯＥＬ素子を初期充電しあるいは初期発光させるようにしているので、表示画面上で輝度差が明確でなくなる表示データ値のときに輝度がつぶれることがなく、輝度が強調される輝度補正がなされる。
その結果、パッシブマトリックス型のＯＥＬ素子をＰＷＭ制御によりＰＷＭパルスの幅で駆動時間を決定して発光輝度の強度を決める階調制御をする場合において、低電圧駆動でかつ消費電力を抑えることができる。
【発明を実施するための最良の形態】
【０００８】
図１は、この発明の有機ＥＬ駆動回路を適用した一実施例の電流駆動回路のブロック図、図２は、ＰＷＭ駆動のタイミングチャート、図３は、この発明のＰＷＭによる階調制御における表示データに対する階調特性の説明図である。
図１において、１０は、有機ＥＬ駆動回路のカラムドライバであって、カラム側の出力ピンＸ1，Ｘ2，Ｘ3〜Ｘmの各出力ピンに対応して電流駆動回路１がそれぞれ設けられている。
電流駆動回路１は、ＰＷＭ駆動回路２と、例えば、１２ビットの発光時間データレジスタ３、ピーク電流制御回路４、そして出力段電流源５からなる。なお、図１では、出力ピンＸ1に対応する電流駆動回路１のみ、その内部回路を示してある。他の出力ピンに対応する電流駆動回路１も同様な構成であるのでそれらについては省略してある。
カラムドライバ１０は、ＩＣとして形成され、このＩＣの外部には、ＭＰＵ１１、クロック発生回路１２、表示データ／発光時間データ変換ＲＯＭ１３等が設けられている。  クロック発生回路１２は、ＭＰＵ１１にクロックＣＬＫを送出し、さらにクロック入力端子１０ａを介して各電流駆動回路１のＰＷＭ駆動回路２および発光時間データレジスタ３にクロックＣＬＫを送出する。【０００９】
表示データ／発光時間データ変換ＲＯＭ１３は、ＭＰＵ１１から送出される出力ピンＸ1〜Ｘmの各出力ピン対応の表示データDATAを発光時間データＤ1に変換するＲＯＭである。上位桁に行くほど、１ビットに対する倍数が大きくなる重みが、表示データDATAの各ビット桁位置に対応して設けられている。表示データ／発光時間データ変換ＲＯＭ１３は、この重み付けされたデータＤ1を生成する。データＤ1は、例えば、１桁目の表示データのビットＤ00は、×１倍、２桁目の表示データのビットＤ01は  ×ｋ1倍、３桁目の表示データのビットＤ03は  ×ｋ2倍、…というように変換されたものであって、これにより表示データＫビットがＬビット（ただしＫ＜Ｍ）の時間データに変換される。このときの時間データの１ＬＳＢの分解能は、クロックＣＬＫの周期ｔに対応している。
ここでは、説明の都合上、各電流駆動回路１の発光時間データレジスタ３は、直列に結合されていて、全体で１つのシフトレジスタとして構成されているとする。そこで、このシフトレジスタに表示データ／発光時間データ変換ＲＯＭ１３により変換されたシリアルデータが出力され、入力端子１０ｂを介して発光時間データＤ1が１個のシフトレジスタの先頭となる発光時間データレジスタ３（初段となるレジスタ３）の入力から加えられて、入力された発光時間データＤ1がクロックＣＬＫに応じて順次シフトされて各出力ピン対応に各電流駆動回路１の発光時間データレジスタ３にそれぞれセットされる。したがって、発光時間データの全体の長さは、発光時間データＤ1のビット数×出力端子ピン数となる。
なお、発光時間データレジスタ３は、それぞれ独立のレジスタとして設けられ、それぞれに発光時間データがセットされていてもよい。
ＭＰＵ１１は、出力ピンＸ1〜Ｘmの各出力ピン対応の表示データDATAをシリアルに発生し、さらに制御信号Ｓ1，Ｓ2を発生して入力端子１０ｃ，１０ｄを介して各回路を制御する。なお、制御信号Ｓ2は、表示開始の制御信号（表示開始信号）である。
また、ＭＰＵ１１は、予め各出力ピン対応のピーク電流制御回路４の階調補正データレジスタ４ａに階調調整データＤ2をそれぞれセットする。この階調補正データレジスタ４ａは、ＥＥＰＲＯＭ等の不揮発性メモリで構成され、出力ピンＸ1〜Ｘmの各出力ピンに接続されたＯＥＬ素子１４の発光輝度に対応して選択された４ビットのデータＤ2が製品出荷時のテスト段階でＭＰＵ１１から設定される。
なお、１３は、出力ピンＸ1〜Ｘmにそれぞれ接続されたＯＥＬ素子である。【００１０】
ＰＷＭ駆動回路２は、カウンタ２ａとデジタルコンパレータ（ＣＯＭ）２ｂとからなり、制御信号Ｓ2（表示開始制御信号）に応じてカウンタ２ａがリセットされてクロックＣＬＫのカウントを“０”から開始する。デジタルコンパレータ２ｂは、制御信号Ｓ2（表示開始信号に相当）を受けて発光時間データレジスタ３の値Ｄ1とカウンタ２ａの値Ｃnとを比較してカウンタ２ａのカウント値Ｃnが発光時間データレジスタ３の値Ｄ1が等しいか、これよりも小さいときには“Ｈ”（＝ＨＩＧＨレベル）の出力を発生し、カウンタ２ａのカウント値Ｃnが発光時間データレジスタ３の値Ｄ１よりも大きくなったときに“Ｌ”（＝ＬＯＷレベル）の出力を発生する。その出力“Ｈ”，“Ｌ”は、出力段電流源５に送出される。これにより、発光時間データレジスタ３の値Ｄ１の値に応じたパルス幅のＰＷＭパルス（“Ｈ”）がデジタルコンパレータ２ｂの出力に発生する。
ピーク電流制御回路４は、低輝度領域における輝度強調のための階調補正用の回路であって、階調補正データレジスタ４ａとデジタルコンパレータ（ＣＯＭ）４ｂ、そしてワンショット回路４ｃとからなる。デジタルコンパレータ４ｂは、制御信号Ｓ2を受けて、その立上がりタイミングで発光時間データレジスタ３の値Ｄ1と階調調整データレジスタ４ａの値Ｄ2とを比較して発光時間データレジスタ３の値Ｄ1が階調調整データレジスタ４ａの値Ｄ2と等しいか、これよりも小さいときに“Ｈ”（＝ＨＩＧＨレベル）の出力を発生し、発光時間データレジスタ３の値Ｄ1が階調調整データレジスタ４ａの値Ｄ2よりも大きいときに“Ｌ”（＝ＬＯＷレベル）の出力を発生する。その出力のうち“Ｈ”の立上がりパルスは、ワンショット回路４ｃのトリガー信号となる。その結果、発光時間データレジスタ３の値Ｄ1が階調調整データレジスタ４ａの値Ｄ2と等しいか、これよりも小さいときには、ワンショット回路４ｃから“Ｈ”の出力信号が一定期間ＴPの間発生して出力段電流源５に送出される。なお、一定期間ＴPは、ＯＥＬ素子１４を初期充電するためのものであり、駆動期間より短い期間である。
なお、ピーク電流制御回路４としては、次に説明する出力段電流源５のＮチャネルＭＯＳＦＥＴトランジスタＴr2を含めたものであってもよい。【００１１】
出力段電流源５は、＋２０Ｖ程度の電源ライン＋Ｖccと各出力ピンとの間に設けられた定電流源６ａとＮチャネルＭＯＳＦＥＴトランジスタＴr1との直列回路からなる電流出力回路６を有している。さらに、定電流源６ａには、これに並列に、定電流源７ａとＮチャネルＭＯＳＦＥＴトランジスタＴr2との直列回路からなるピーク電流出力回路７が設けられている。
ここで、定電流源６ａの電流値は、Ｉであり、定電流源７ａの電流値は、ｎ×Ｉである。ただし、ｎは、２以上の数である。
トランジスタＴr1は、そのソースが出力ピンに接続され、そのドレインが定電流源６ａを介して電源ライン＋Ｖccに接続され、そのゲートにデジタルコンパレータ２ｂの出力を受ける。デジタルコンパレータ２ｂの出力が“Ｈ”のときにトランジスタＴr1はＯＮになり、“Ｌ”のときにＯＦＦになる。
トランジスタＴr2は、そのソースがトランジスタＴr1のドレインに接続され、そのドレインが定電流源７ａを介して電源ライン＋Ｖccに接続され、そのゲートにワンショット回路４ｃの出力を受ける。トランジスタＴr2は、ワンショット回路４ｃに“Ｈ”の出力が発生したときに、この“Ｈ”となる一定期間ＴPの間だけトランジスタＴr2がＯＮになる。  【００１２】
ＭＰＵ１１は、各出力ピン対応に順次、例えば、６ビット単位（Ｋ＝６）の表示データDATAを生成してこれを制御信号Ｓ1とともに出力する。順次発生した６ビット単位の表示データDATAは、表示データ／発光時間データ変換ＲＯＭ１３に加えられて１２ビット単位（Ｌ＝１２）の発光時間データＤ1に変換されてシリアルに出力され、所定のタイミングで発光時間データレジスタ３によるシフトレジスタ上をシフトされる。このことで出力ピンＸ1〜Ｘmの各出力ピン対応に設けられた発光時間データレジスタ３にそれぞれ発光時間データＤ1が分配される。なお、この場合のシフトレジスタの段数は、１２×ｍとなる。ｍは、総出力ピン数である。
これにより、制御信号Ｓ1に応じて各出力ピン対応の発光時間データレジスタ３に発光時間データＤ1がそれぞれにセットされる。次にＭＰＵ１１が制御信号Ｓ2を発生してＰＷＭ駆動回路２とピーク電流制御回路４を駆動する。
なお、階調調整データＤ2は、数ビットの値であり、前記したように、例えば、発光時間データＤ1が１２ビットすれば、階調補正データＤ2は、そのうちの下位４ビットに相当し、“１１１１”か、この前後の値がＯＥＬ素子の発光特性に応じて出力ピン対応にこの階調補正データレジスタ４ａに予めセットされている。【００１３】
次に、図２を参照して有機ＥＬ駆動回路のカラムドライバの電流駆動動作を説明すると、まず、制御信号Ｓ1の立上がりに応じて、出力ピンＸ1〜Ｘmの各出力ピンに対応する発光時間データレジスタ３に発光輝度に応じた発光時間データＤ1がシリアルに１２ビット単位で（１），（２），…（１３２）個セットされる（図２（ａ）〜（ｃ）参照）。ただし、総出力ピン数ｍ＝１３２とし、図では、発光時間データレジスタ３の内部シフトクロックをクロックＣＬＫの１２倍速のクロックとして、内部で生成して、クロックＣＬＫの１クロックに対応して１２ビットシフトされているものとする。
以上は、シリアルにセットする場合であるが、発光時間データレジスタ３がシフトレジスタ構成ではなく、それぞれ独立に設けられているときには、図示するように、クロックＣＬＫに同期して各発光時間データレジスタ３に１２ビットの発光時間データＤ1がそれぞれセットされていく。
【００１４】
次に、図２（ｄ）に示すように、制御信号Ｓ2（表示開始信号）が発生してその立上がりでデジタルコンパレータ２ｂ，４ｂにより発光時間データの値Ｄ1との比較が開始されて、デジタルコンパレータ２ｂの出力として発光時間データの値Ｄ1に応じてＰＷＭ制御された駆動期間Ｔ（＝Ｄ1×ｔ）の間“Ｈ”のＰＷＭパルスが発生する（図２（ｅ）参照）。ただし、ｔはクロックＣＬＫの周期である。
これと同時にある出力ピンの発光時間データの値Ｄ1がＤ1＜＝Ｄ2であるときには、例えば、発光時間データの値Ｄ1が“００００００００１１１０”であり、その出力ピンに設定されたＤ2＝“１１１１”より小さいときには、あるいはこれらが等しいときには、図２（e）に示すように、このときの発光時間データの値Ｄ1に応じて駆動期間Ｔが短くなる。このとき、ＰＷＭパルスの発生と同時に、デジタルコンパレータ４ｂに出力が発生してワンショット回路４ｃから期間ＴpのパルスＰが発生する（図２（ｆ）参照）。これにより、出力ピンには、制御信号Ｓ2（表示開始信号）の立上がりから期間Ｔpの間は、（１＋ｎ）・Ｉの電流が流れ、その後の（Ｔ−Ｔp）の期間には、電流値Ｉが流れる（図２（ｇ）参照）。
一方、出力ピンの発光時間データの値Ｄ1がＤ1＞Ｄ2であるときには、例えば、発光時間データの値Ｄ1が“００００００００１００１”であり、その出力ピンに設定されたＤ2＝“１１１１”より大きいときには、図２（ｈ）に示すように、このときの発光時間データの値Ｄ1に応じて駆動期間Ｔは長くなる。このときには、デジタルコンパレータ４ｂの出力は“Ｌ”であり、ワンショット回路４ｃからの出力はない。すなわち、期間ＴpのパルスＰが発生しない。その結果、出力ピンにはＴの期間の間、電流値Ｉが流れる（図２（ｉ）参照）。
なお、一般的に、ｎ階調制御（ただしｎは５か、それ以上）のときに、デジタルコンパレータ４ｂで比較される基準となるデータ値は、低輝度領域として表示画面上で輝度差が明確でなくなる低輝度の表示データ値に対応していて、４ビットのときの最下位の１ビットでは分解能が低く、無駄となるので、それ以上の分解能のビット数において、そのビット数は、ｎ／４ビットの下位ビットか、それ┼１あるいは＋２ビット程度の範囲である。
【００１５】
このようなＰＷＭ制御によりＯＥＬ素子の発光輝度について階調制御を行い、駆動期間が短くなる低輝度のとき、例えば、発光時間データＤ2がＤ2＝“１１１１”以下の低輝度のときに、駆動初期にピーク電流を発生してＯＥＬ素子を初期充電し、あるいは輝度を強調するように制御する。このようにすれば、ＰＷＭ制御により時分割的な階調制御をしても、低輝度の表示が強調されてつぶれることがなくなる。
図３は、この場合の階調制御特性であって、縦軸が発光輝度であり、横軸が表示データ値である。この特性グラフに示すように、輝度が低い“１１１１”以下の領域ではピーク電流による初期駆動によりその傾き小さくなって、折れた特性となっている。
なお、この特性は、輝度が低い領域が点線で示すような直線に近い形で補正されてもよい。ＯＥＬ素子が初期充電されない状態でのＰＷＭ駆動のときには、輝度が低い領域では、点線で示す傾きよりさらに下側に垂れ下がる特性になるからである。
【産業上の利用可能性】
【００１６】
以上説明してきたが、前記の実施例では、低輝度のときに、出力ピンに対して電流出力回路６の駆動電流とピーク電流出力回路７のピーク電流とを同時に出力ピンに流してピーク駆動電流を発生しているが、このようなピーク駆動電流を発生する場合に所定の以下の低輝度のときにはピーク電流出力回路７だけで駆動するだけでもよい。
表示データ／発光時間データ変換ＲＯＭ１３は、ＲＯＭに限定されるものではなく、ＭＰＵによるプログラム処理において、表示データDATAを発光時間データに変換してもよい。さらに、このような表示データ／発光時間データ変換手段は、各出力ピン対応に各電流駆動回路１の内部に設けられていてもよい。
また、実施例では、ＭＰＵを用いてデータ設定や電流駆動回路１の各回路の制御を行っているが、ＭＰＵに換えてコントローラ等が用いられてもよいことはもちろんである。  さらに、実施例では、Ｒ，Ｇ，Ｂの表示色について説明していないが、Ｒ，Ｇ，Ｂの表示色対応の各出力ピンに対して電流駆動回路１をそれぞれ設けて、カラー表示の有機ＥＬ駆動回路としてもよいことはもちろんである。
なお、この明細書および特許請求の範囲における出力ピンには、ＩＣチップに形成されたパッドあるいはバンプ等が含まれることはもちろんである。
【図面の簡単な説明】
【００１７】
【図１】図１は、この発明の有機ＥＬ駆動回路を適用した一実施例の電流駆動回路のブロック図である。
【図２】図２は、ＰＷＭ駆動のタイミングチャートである。
【図３】図３は、この発明のＰＷＭによる階調制御における表示データに対する階調特性の説明図である。
【符号の説明】
【００１８】
１…電流駆動回路、２…ＰＷＭ駆動回路、２ａ…カウンタ、
２ｂ，４ｂ…デジタルコンパレータ（ＣＯＭ）、
３…発光時間データレジスタ、４…ピーク電流制御回路、
４ａ…階調補正データレジスタ、４ｃ…ワンショット回路、
５…出力段電流源、６…電流出力回路、６ａ，７ａ…定電流源、
７…ピーク電流出力回路、
１０…カラムドライバ、１１…ＭＰＵ、
１２…クロック発生回路、
１３…表示データ／発光時間データ変換ＲＯＭ、
１４…ＯＥＬ素子、Ｘ1〜Ｘm…出力ピン、
Ｔr1，Ｔr2…ＮチャネルＭＯＳＦＥＴトランジスタ。
【図１】
0004425861.tif 000002
【図２】
0004425861.tif 000003
【図３】
0004425861.tif 000004